(57)【特許請求の範囲】
【請求項１】
筐体と、
前記筐体の正面において、当該正面の一つの中心線を境界として一方の領域側に設けられた録画ボタンと、
前記一方の領域側に存在する前記筐体の側面に設けられたモード切り替えスイッチと、
を備えるウェアラブルカメラであって、
前記モード切り替えスイッチは、操作者が直接操作する操作部と、当該操作部が移動する直線状のスロットとを含み、
当該スロットの少なくとも一端に、緊急時に最も使用頻度の高い最多使用頻度モードが位置する、ウェアラブルカメラ。
【請求項２】
請求項１に記載のウェアラブルカメラであって、
前記最多使用頻度モードが携帯電子機器との通信モードである、ウェアラブルカメラ。
【請求項３】
請求項１または２に記載のウェアラブルカメラであって、
前記スロットの他端に通信オフモードが位置する、ウェアラブルカメラ。
【請求項４】
請求項３に記載のウェアラブルカメラであって、
前記スロットの前記一端および前記他端の間に、外部機器と接続可能な少なくとも一つの外部機器接続モードが位置する、ウェアラブルカメラ。
【発明の詳細な説明】
【技術分野】
【０００１】
本発明は、警察官等が身に着けるウェアラブルカメラに関する。
【背景技術】
【０００２】
最近、特に米国では警察官の発砲などについて検証の困難性が問題になっており、このため、緊急事態において現場の状況を撮影し、その後の検証に役立てるため、警察官にウェアラブルカメラを着用させる流れが出ている。身体に付けて自動的に撮影可能なウェアラブルカメラが知られている（特許文献１参照）。
【０００３】
特許文献１には、撮影者が身につけたまま音響入力部で取り込んだ音響が所定の音域の音響である場合、トリガ検出部がトリガ検出信号を生成して、自動的に撮影が行われるウェアラブルカメラが開示されている。
【先行技術文献】
【特許文献】
【０００４】
【特許文献１】特開２００４−３５６９７０号公報
【発明の概要】
【発明が解決しようとする課題】
【０００５】
緊急の出動要請等で現場に到着した警察官が捜査時にウェアラブルカメラを操作する必要あるが、緊急かつ緊張した状況では円滑な操作が必要となる。しかしながら、特許文献１の構成では、上述した実情を考慮したウェアラブルカメラとして提示されていないという課題がある。
【０００６】
本発明は、現場で即座に撮影可能な操作モードになるウェアラブルカメラを提供することを目的とする。
【課題を解決するための手段】
【０００７】
本発明のウェアラブルカメラは、筐体と、前記筐体の正面において、当該正面の一つの中心線を境界として一方の領域側に設けられた録画ボタンと、前記一方の領域側に存在する前記筐体の側面に設けられたモード切り替えスイッチと、を備えるウェアラブルカメラであって、前記モード切り替えスイッチは、操作者が直接操作する操作部と、当該操作部が移動する直線状のスロットとを含み、当該スロットの少なくとも一端に、緊急時に最も使用頻度の高い最多使用頻度モードが位置する。
【０００８】
本発明のウェアラブルカメラの一態様として例えば、前記最多使用頻度モードが携帯電子機器との通信モードである。
【０００９】
本発明のウェアラブルカメラの一態様として例えば、前記スロットの他端に通信オフモードが位置する。
【００１０】
本発明のウェアラブルカメラの一態様として例えば、前記スロットの前記一端および前記他端の間に、外部機器と接続可能な少なくとも一つの外部機器接続モードが位置する。
【発明の効果】
【００１１】
本発明によるウェアラブルカメラは、録画ボタンをウェアラブルカメラの筐体の正面で中心線を境界として一方側に配置し、さらにその側にモード切り替えスイッチを配置することで、例えば胸に手をあてて人差し指で録画ボタンとモード切り替えスイッチを容易に操作することが可能となる。また、スロットの一端に緊急時に最も使用頻度の高いモードを位置させることにより、緊急時でも録画ボタンとモード切り替えスイッチを同時に適切に使用することが可能となる。そして、中心線を境界として一方の領域に設けられることにより、録画ボタンの操作性を向上させている。
【図面の簡単な説明】
【００１２】
【図１】本発明に係るウェアラブルカメラを使用するウェアラブルカメラシステムの全体像の一例を示す模式図。
【図２】本発明に係るウェアラブルカメラの一実施形態を示し、（ａ）正面図、（ｂ）右側面図。
【図３】本発明に係るウェアラブルカメラの装着状態の一例を示す概念図。
【図４】本発明に係るウェアラブルカメラのモード切り替えスイッチの一例を示す模式図、（ａ）操作部が第１モード位置、（ｂ）操作部が第４モード位置。
【図５】本発明に係るウェアラブルカメラの構成の一例を示すブロック図。
【図６】本発明に係るウェアラブルカメラの録画開始と停止の一例を示すフローチャート図。
【発明を実施するための形態】
【００１３】
以下、本発明に係るウェアラブルカメラの好適な実施形態を、図１〜図６に基づいて詳述する。
【００１４】
図１は、ウェアラブルカメラ１０を使用するウェアラブルカメラシステムの全体像の一例を示す模式図である。図面左から、ウェアラブルカメラ１０が直接用いられるフロントエンドシステム、フロントエンドシステムからデータを送信する転送、転送された情報を処理するバックエンドシステムである。
【００１５】
操作者（ユーザ）の一例である警察官が身につけるウェアラブルカメラ１０（ＷＣＡＭ：Wearable CAMera）は、フロントエンドシステムで用いられ、主に映像の撮像、記憶などを行い、特に現場の証拠映像をより的確に取得及び保存するために警察官が装着可能な撮像装置である。また、ウェアラブルカメラシステムは、ウェアラブルカメラ１０と、携帯電子機器２０と、パトカー２１等に搭載する車載ビデオレコーダ２２およびＰＣ（パーソナルコンピュータ）２３と、サーバ装置１００とを有している。ウェアラブルカメラ１０、車載ビデオレコーダ２２、ＰＣ２３はフロントエンドシステムに設けられ、サーバ装置１００はバックエンドシステムに設けられている。
【００１６】
携帯電子機器２０は、容易に持ち運び可能な例えばスマートフォン、携帯電話機、タブレット端末、ＰＤＡ（Personal Digital Assistant）等であり、パトカー２１に搭載されるＰＣ２３でもよい。また、携帯電子機器２０は、入力部や認証部等を備え、ウェアラブルカメラ１０とＷｉ−Ｆｉ（登録商標）等を利用して通信可能な無線通信装置であればよい。そして、携帯電子機器２０は、ウェアラブルカメラ１０で撮像された録画映像の表示、録画映像の再生、録画映像への属性情報のタグ付け、録画映像へのブックマーク付与、録画映像への事件番号付け、撮影映像（静止画映像）の表示、ウェアラブルカメラ１０の電池残量確認、ウェアラブルカメラ１０の映像保存用メモリの空き状況の確認などが可能である。
【００１７】
フロントエンドシステムは、現場の最前線に出動する警察官が身に着けるウェアラブルカメラ１０と、携帯電子機器２０と、警察官が乗用するパトカー２１と、パトカー２１内に設置された車載ビデオレコーダ２２とを含む構成である。例えばパトカー２１が到着した現場の映像をウェアラブルカメラ１０により撮像し、撮像された映像のデータファイルをウェアラブルカメラ１０内部の映像保存用メモリや、携帯電子機器２０や、車載ビデオレコーダ２２（又は、必要に応じて外付けストレージＳＳＤ２４）に保存して蓄積する。なお、外付けストレージＳＳＤ２４は、例えばハードディスクドライブ又はソリッドステートドライブ等である。
【００１８】
車載ビデオレコーダ２２は、ウェアラブルカメラ１０及び携帯電子機器２０との間で通信可能に接続され、ウェアラブルカメラ１０により撮像された映像のデータファイルを携帯電子機器２０に転送し、又は車載ビデオレコーダ２２自身に保存して蓄積する。
【００１９】
警察官は、所定の用件（例えばパトロール）で警察署から出動する際、警察署内からウェアラブルカメラ１０を持ち出して、パトカー２１内に設置された車載ビデオレコーダ２２との間で通信可能に接続する。ＰＣ２３は、警察官の操作に応じて、ウェアラブルカメラ１０および車載ビデオレコーダ２２によりパトロール中に撮像された録画映像の表示、録画映像の再生、録画映像への属性情報のタグ付け、録画映像へのブックマーク付与、録画映像への事件番号付け、撮影映像（静止画映像）の表示などを行う。パトロールが終了してパトカー２１が警察署に戻った際には、有線、無線又は手動（例えば記憶媒体の持ち運び）により、ウェアラブルカメラ１０に蓄積された映像のデータファイルを、サーバ装置１００（例えば警察署内に設置された所定のバックエンドサーバ）に転送する。ウェアラブルカメラ１０に限らず、携帯電子機器２０や車載ビデオレコーダ２２（又は、必要に応じて外付けストレージＳＳＤ２４）に蓄積された映像を転送しても良い。
【００２０】
バックエンドシステムは、警察署内に設置されたサーバ装置１００と、フロントエンドシステムとの通信を行うための管理ソフトウェア１０１と、サーバ装置１００にストレージとして接続された外付けハードディスク（ＨＤＤ）とを含む構成である。そして、フロントエンドシステムにあるウェアラブルカメラ１０や携帯電子機器２０や車載ビデオレコーダ２２から転送された映像のデータファイルをサーバ装置１００内のストレージに保存、蓄積する。バックエンドシステムに蓄積された映像のデータファイルは、例えば警察署内の関係部署の担当者により利用され、必要に応じて、所定の記憶媒体（例えばＤＶＤ：Digital Versatile Disk）に映像のデータがコピーされて、所定のシーン（例えば裁判）において証拠品として提出される。
【００２１】
図２〜図４を用いてウェアラブルカメラ１０を詳述する。図２は、ウェアラブルカメラ１０の一例を示し、（ａ）は正面図、（ｂ）は右側面図である。図３はウェアラブルカメラ１０の装着状態の一例を示す概念図である。図４は、ウェアラブルカメラ１０のモード切り替えスイッチ１５の一例を示す模式図で、（ａ）は操作部１５ａが第１モードＭ１の位置にあることを示し、（ｂ）は操作部１５ａが第４モードＭ４に位置にあることを示している。
【００２２】
ウェアラブルカメラ１０は、図３に示すように例えば警察官の胸部近傍に装着される。警察官が右利きであれば身体の左側に、左利きであれば身体の右側に装着することが操作上望ましい。ウェアラブルカメラ１０は、図２に示すように、略四角形状の筐体１１と、レンズ１２と、録画ボタン１３と、スナップショットボタン１４と、モード切り替えスイッチ１５と、確認切り替えスイッチ１６とを備えている。
【００２３】
レンズ１２は、撮像するための映像を取得する光学部材であり、録画ボタン１３は、映像の撮像の開始時又は終了時に操作されるボタンである。現場では様々の要因があるため録画ボタン１３が容易にＯＮ／ＯＦＦしないために、例えば、奇数回押下されることで動画（映像）の撮像が開始され、偶数回押下されることで動作（映像）の撮像は終了する方法を設けてもよい。また、動画（映像）の撮像の開始は１回のボタン押下で容易に開始されるが、動作（映像）の撮像は終了のみ容易にできないようにボタンの長押しを必要としてもよい。スナップショットボタン１４は、静止画の撮像を行う時に操作されるボタンである。
【００２４】
また、録画ボタン１３は、筐体１１の正面において、正面の一つの中心線Ｘ−Ｘを境界として一方の領域に設けられている。図２に示すように録画ボタン１３の一部が、中心線Ｘ−Ｘを跨いでもよく、中心線Ｘ−Ｘの片側のみに配置されていてもよい。身体の左側にウェアラブルカメラ１０を装着する場合は、録画ボタン１３が中心線Ｘ−Ｘの左側に設けられていることが望ましく、操作性が向上する。そして、上述の中心線Ｘ−Ｘは、筐体１１の略中心（又は重心）を上下に通る線上であるが、警察官である操作者が親指と他の指で筐体１１を把持した際の親指と他の指との間に位置する線上であってもよい。
【００２５】
緊急現場では、複雑な操作や録画ボタン１３を探している余裕はないため、片手一つで簡単に録画ボタン１３を操作できることが望ましく、中心線Ｘ−Ｘを境界として一方の領域に設けられることにより、録画ボタン１３の操作性を向上させている。
【００２６】
モード切り替えスイッチ１５は、録画ボタン１３が配置された領域側に存在する筐体１１の側面１１ａに設けられ、警察官である操作者が直接操作する操作部１５ａと、操作部１５ａが移動する（筐体１１の上下方向）直線状のスロット１５ｂを備えている。また、モード切り替えスイッチ１５は、本実施形態では４つのモードを備えている（図４参照）。スロット１５ｂの上端側には第１モードＭ１、次に第２モードＭ２、そして第３モードＭ３、さらに下端側には第４モードＭ４が配置されている。尚、モードの数、種類は適宜変更が可能である。
【００２７】
第１モードＭ１は、緊急時に使用頻度の高い最多使用頻度モードとして位置づけられている。本実施形態では、携帯電子機器２０への通信接続モードＡＰ（アクセスポイント）として表示されている。第２モードＭ２は、バックエンドシステムに設けられるサーバ装置１００への接続モードＳＴＡ１として表示されている。警察官は出動後警察署に戻り、接続モードＳＴＡ１にすることによりウェアラブルカメラ１０に記録された映像データをサーバ装置１００へ転送する。
【００２８】
第３モードＭ３は、パトカー２１内に搭載された車載ビデオレコーダ２２（又は、必要に応じて外付けストレージＳＳＤ２４）への外部機器接続モードＳＴＡ２として表示されている。第４モードＭ４は、外部との接続をオフにする通信オフモードＯＦＦとして表示されている。
【００２９】
上述の各モードＭ１〜Ｍ４は、スロット１５ｂの上端に緊急時に使用頻度の高い最多使用頻度モードＡＰ、上端に対して他端となる下端には通信オフモードＯＦＦ、そして、スロット１５ｂの上端と下端との間に外部機器（例えばサーバ装置１００、車載ビデオレコーダ２２、等）と接続可能な外部機器接続モードＳＴＡ１、ＳＴＡ２が位置づけられている。
【００３０】
録画ボタン１３をウェアラブルカメラ１０の筐体１１の正面で中心線Ｘ−Ｘより略一方側に配置し、さらにその側にモード切り替えスイッチ１５を配置することで、例えば胸に手をあてて人差し指で録画ボタン１３とモード切り替えスイッチ１５を容易に操作することが可能となる。また、スロット１５ｂの一端（上端）に緊急時に最も使用頻度の高い第１モードＭ１を位置させることにより、緊急時に手袋をつけたままであっても録画ボタン１３とモード切り替えスイッチ１５を同時に適切に使用することが可能となる。
【００３１】
そして、録画ボタン１３を押して現場の撮影をウェアラブルカメラ１０で開始した場合、緊急時に最重要である携帯電子機器２０との連携（通信等）が即座に可能となる。また、スロット１５ｂの上端と下端との間に外部機器接続モードＳＴＡ１、ＳＴＡ２を設けているため、警察官の出動前後において警察署内で落ち着いて確実に起動させることが可能である。また、Ｗｉ−Ｆｉ（登録商標）等の外部との無線通信接続をオン（オフ以外のいずれか）にしておくと、ウェアラブルカメラ１０の内蔵電池の減りが早くなるため、必要時以外はまめにオフにしておくべきである。このため、通信オフモードである第４モードＭ４が、スロット１５ｂの下端（他端）に配置されることが望ましい。また、外部機器接続モードＳＴＡ１、ＳＴＡ２は、携帯しない、いわば固定された外部機器（例えばサーバ装置１００、車載ビデオレコーダ２２、等）との接続に好ましく用いられ、現場ではあまり起動させないモードであり、緊急性を要することが少ないため、スロット１５ｂの上端と下端との間に配置されることが望ましい。
【００３２】
尚、上述の接続は、Ｗｉ−Ｆｉ（登録商標）等を利用した通信接続でも良く、有線でも手動でも良い。
【００３３】
確認切り替えスイッチ１６は、モード切り替えスイッチ１５と同様に、録画ボタン１３が配置された領域側に存在する筐体１１の側面１１ａに設けられ、警察官である操作者が直接操作する確認操作部１６ａと、確認操作部１６ａが移動する直線状の確認スロット１６ｂを備えている。確認操作部１６ａを操作することにより、ウェアラブルカメラ１０に設けられた後述するＬＥＤ３２の点灯や消灯、バイブレーターの操作を行う。例えば、確認スロット１６ｂの上端からＬＥＤ３２点灯、バイブレーターのＯＮ、ＬＥＤおよびバイブレーターの両方がＯＮ、下端がＯＦＦであり、モード切り替えスイッチ１５と同様４種類のモードが設けられているが、確認切り替えスイッチ１６の構成は特に限定されず、確認切り替えスイッチ１６そのものも必須のものではない。
【００３４】
次に、図５のブロック図を用いてウェアラブルカメラ１０の構成を説明する。
【００３５】
ウェアラブルカメラ１０は、上述の録画ボタン１３、スナップショットボタン１４、モード切り替えスイッチ１５および確認切り替えスイッチ１６の他に、撮像部３０と、ＧＰＩＯ３１（General Purpose Input/Output）と、ＬＥＤ３２と、ＭＣＵ（Micro Control Unit）３３とを備えている。また、ウェアラブルカメラ１０は、上述の他に、ＲＡＭ（Random Access Memory）３４と、ＲＯＭ（Read Only Memory）３５と、ＳＤメモリ３６と、ＥＥＰＲＯＭ（Electrically Erasable Programmable Read-Only Memory）３７とを備えている。さらに、ウェアラブルカメラ１０は、ＲＴＣ（Real Time Clock）３８と、ＧＰＳ（Global Positioning System）３９と、通信部４０とを備えている。さらに、ウェアラブルカメラ１０は、ＵＳＢ（Universal Serial Bus）４１と、コンタクトターミナル４２と、電源部４３と、バッテリ４４とを備えている。
【００３６】
撮像部３０は、上述したレンズ１２の他に、ＣＣＤ（Charge Coupled Device）型イメージセンサ又はＣＭＯＳ（Complementary Metal Oxide Semiconductor）型イメージセンサの固体撮像素子を有し、撮像により得られた映像のデータをＭＣＵ３３に出力する。ＧＰＩＯ３１は、パラレルインタフェースであり、上述した録画ボタン１３、スナップショットボタン１４、モード切り替えスイッチ１５、確認切り替えスイッチ１６およびＬＥＤ３２とＭＣＵ３３との間の信号の入出力を行う。ＬＥＤ３２は、ウェアラブルカメラ１０の電源投入状態を示し、図示しない電源ボタンが押下されることで点灯する。
【００３７】
ＭＣＵ３３は、ウェアラブルカメラ１０の各部の動作を全体的に統括するための制御処理、他の各部との間のデータの入出力処理、データの演算（計算）処理及びデータの記憶処理を行い、ＲＯＭ３５に記憶されたプログラム及びデータに従って動作する。ＭＣＵ３３は、動作時には、ＲＡＭ３４を使用するとともに、ＲＴＣ３８より現在の時刻情報を得るとともに、ＧＰＳ３９より現在の位置情報を得る。
【００３８】
また、ＭＣＵ３３は、録画ボタン１３およびスナップショットボタン１４の各ボタンの押下ならびにモード切り替えスイッチ１５および確認切り替えスイッチ１６の操作の検出を行い、操作があったボタンに対する処理を行う。即ち、ＭＣＵ３３は、録画ボタン１３が押下された場合には、撮像部３０から得られた映像のデータを動画像としてＳＤメモリ３６に保存する。また、ＭＣＵ３３は、スナップショットボタンＢ２が押下された場合は、スナップショットボタン１４が押されたときの画像データを静止画像としてＳＤメモリ３６に保存する。また、ＭＣＵ３３は、例えば録画ボタン１３が奇数回押下された場合にはＬＥＤ３２を点灯させ、録画ボタン１３が偶数回押下された場合にはＬＥＤ３２を消灯させてもよい。さらに、ＭＣＵ３３は、モード切り替えスイッチ１５の操作に応じて、通信部４０と携帯電子機器２０等の外部の機器との通信接続を、上述した説明に従って確保する。さらに、ＭＣＵ３３は、確認切り替えスイッチ１６の操作に応じて、ＬＥＤ３２の点灯や消灯、バイブレーターを制御する。
【００３９】
ＭＣＵ３３は、動画の撮像、静止画の撮像及び無線通信を行うが、携帯電子機器２０（ＰＣ２３も含む）との間でウェアラブルカメラ１０の使用者の認証に関わる処理を行うこともできる。例えば、予め警察官に与えられている警官ＩＤ（「Officer ID」）と、その警察官が持ち出したウェアラブルカメラ１０で撮像して得られた映像のデータファイルとの関連付けが携帯電子機器２０において行われる。そして、撮像された映像のデータファイルがどの警察官によって行われたものかを容易に把握することも可能となる。
【００４０】
ＲＡＭ３４は、不揮発性又は揮発性の半導体メモリを用いて構成され、ＭＣＵ３３の動作において使用されるワークメモリである。ＲＯＭ３５は、不揮発性又は揮発性の半導体メモリを用いて構成され、ＭＣＵ３３を動作、制御するためのプログラム及びデータを予め記憶する。ＳＤメモリ３６は、撮像部３０で撮像して得られた映像のデータを記憶する。ＳＤメモリ３６は、ウェアラブルカメラ１０の筐体１１に対して取付け及び取外しが可能である。
【００４１】
ＥＥＰＲＯＭ３７は、ウェアラブルカメラ１０を識別する識別番号（シリアル番号）を記憶する。ＲＴＣ３８は、現在の時刻情報をカウントしてＭＣＵ３３に出力する。ＧＰＳ３９は、現在のウェアラブルカメラ１０の位置情報を例えばＧＰＳ発信機から受信してＭＣＵ３３に出力する。
【００４２】
通信部４０は、例えばＯＳＩ（Open Systems Interconnection）参照モデルの第１層である物理層において、通信部４０とＭＣＵ３３との接続を規定し、その規定に従って、携帯電子機器２０と無線通信（例えばＷｉ−Ｆｉ（登録商標））を行う。ＵＳＢ４１は、シリアルバスであり、ウェアラブルカメラ１０の電子機器との通信接続を可能とする。電源部４３は、コンタクトターミナル４２を介して図示しないクレードル又は外付けアダプタより供給される電源でバッテリ４４を充電する。バッテリ４４は、ウェアラブルカメラ１０の各部に電源を供給する。
【００４３】
図６は、ウェアラブルカメラ１０の録画開始と停止の一例を示すフローチャート図である。
【００４４】
録画ボタン１３が押下されると（ステップＳ１）、ＭＣＵ３３は録画中か否かを判定する（ステップＳ２）。録画中でないと判定した場合（ステップＳ２がＮｏ）、録画ボタン１３の開放までに録画開始保持時間（例えば１秒以内）を経過したか否かを判定する（ステップＳ３）。録画開始保持時間を経過した場合（ステップＳ３がＹｅｓ）、ウェアラブルカメラ１０の録画を開始する（ステップＳ４）。また、録画中と判定した場合（ステップＳ２がＹｅｓ）、録画ボタン１３の開放までに録画停止保持時間（例えば約３秒）を経過したか否かを判定する（ステップＳ５）。録画停止保持時間を経過したと判定した場合（ステップＳ５がＹｅｓ）、録画を停止する（ステップＳ６）。
【００４５】
上述のウェアラブルカメラ１０の構成（図５参照）の他、携帯電子機器２０、外部機器である車載ビデオレコーダ２２およびサーバ装置１００等への通信をＷｉ−Ｆｉ（登録商標）として説明したが、短距離通信であるBluetooth（登録商標）でもよい。Bluetooth（登録商標）の無線通信である場合、無線通信が可能なチップが内蔵されていても良い。
【００４６】
また、パトカー２１との携帯電子機器２０との間の無線通信が途絶えると、ウェアラブルカメラ１０は、自動で録画（撮像）を開始してもよい。特に、Bluetooth（登録商標）の通信方式は、Ｗｉ−Ｆｉ（登録商標）の通信方式に比べて、例えば１０数メートルと通信距離が短いので、警察官がパトカー２１を離れるとすぐに自動で録画（撮像）を開始することができるので、ウェアラブルカメラ１０の利便性を向上することが可能となる。
【００４７】
また、無線通信（例えばBluetooth（登録商標））が可能なチップは、ウェアラブルカメラ１０の固定具（例えば警察官の制服に引っ掛けるためのクリップ等）に内蔵されてもよいし、ウェアラブルカメラ１０に内蔵されてもよい。
【００４８】
また、ウェアラブルカメラ１０は、緊急時の対応のために、所定の優先度が付与された重要な映像のデータファイルから優先的に携帯電子機器２０やサーバ装置１００に転送（アップロード）してもよい。ウェアラブルカメラ１０は、所定の優先度として例えば携帯電子機器２０を介して入力された映像のデータファイルに関する事件番号（Case File Number）又は分類（Classify）を参照し、特定の事件番号又は分類に該当する映像のデータファイルを転送（アップロード）する。また、優先度が付与されていない場合には、ウェアラブルカメラ１０は、撮像された時間帯が古い映像のデータファイルから順にサーバ装置１００に転送（アップロード）してもよい。
【００４９】
尚、本実施形態のウェアラブルカメラ１０は、例えば警察署において使用される場合を想定して説明したが、ユーザは警察官に限定されず、その他様々な緊急時に現場で活動する事業所（例えば、警備会社、消防署、ガス会社、等）において使用されてもよい。
【００５０】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００５１】
本発明のウェアラブルカメラは、緊急時において円滑に容易に操作ができる下で現場の撮影を必要としている警察署や警備会社等に、特に好適に使用できる。
【符号の説明】
【００５２】
１０：ウェアラブルカメラ
１１：筐体
１１ａ：側面
１２：レンズ
１３：録画ボタン
１４：スナップショットボタン
１５：モード切り替えスイッチ
１５ａ：操作部
１５ｂ：スロット
１６：確認切り替えスイッチ
２０：携帯電子機器
２１：パトカー
２２：車載ビデオレコーダ
１００：サーバ装置
Ｍ１：第１モード
Ｍ２：第２モード
Ｍ３：第３モード
Ｍ４：第４モード
Ｘ−Ｘ：中心線
【要約】
【課題】現場で即座に撮影可能な操作モードになるウェアラブルカメラを提供する。
【解決手段】ウェアラブルカメラ１０は、筐体１１と、レンズ１２と、録画ボタン１３と、スナップショットボタン１４と、モード切り替えスイッチ１５、確認切り替えスイッチ１６とを備えている。録画ボタン１３は、筐体１１の正面において、正面の中心線Ｘ−Ｘを境界として一方の領域に設けられ、その領域側の側面１１ａにモード切り替えスイッチ１５が設けられている。また、モード切り替えスイッチ１５は、操作部１５ａと操作部１５ａが移動する直線状のスロット１５ｂを備えている。スロット１５ｂの上端側には緊急時に使用頻度の高い最多使用頻度モードである第１モードＭ１が配置され、下端側には外部との接続をオフにするオフモードである第４モードＭ４が配置されている。
【選択図】図２【図１】
0005810332.tif 000002
【図２】
0005810332.tif 000003
【図３】
0005810332.tif 000004
【図４】
0005810332.tif 000005
【図５】
0005810332.tif 000006
【図６】
0005810332.tif 000007